(57)【要約】【課題】背上げ角度調整機能を有する電動ベッドに対する使用者の臥床位置合せを容易かつ確実に行う方法を提供する。【解決手段】背上げ角度調整機能を有する電動ベッド３に対して、電動ベッド３の使用者Ａを、背上げ角度調整機能による動作に適合する臥床位置に位置合わせする、電動ベッド３に対する使用者Ａの臥床位置合せ方法であって、人の身長と仙骨部又は股関節との相関に基づいて決定された身長の目盛を有する臥床位置合せスケール１を、前記身長の目盛における使用者Ａの身長に対応する目盛で切断し、臥床位置合せスケール１の基準位置１Ａを電動ベッド３の基準位置４Ａに合わせて配置した状態で水平に伸ばし、臥床位置合せスケール１の先端１Ｃを使用者Ａの頭頂Ｂに合わせるように位置合わせする。【選択図】図４
2016055083.tif 000002
【特許請求の範囲】
【請求項１】
背上げ角度調整機能を有する電動ベッドに対して、前記電動ベッドの使用者を、前記背上げ角度調整機能による動作に適合する臥床位置に位置合わせする、前記電動ベッドに対する使用者の臥床位置合せ方法であって、
人の身長と仙骨部又は股関節との相関に基づいて決定された身長の目盛を有する臥床位置合せスケールを、その基準位置を前記電動ベッドの基準位置に合わせて配置した状態で、前記使用者の頭頂又は足底を、前記身長の目盛における前記使用者の身長に対応する目盛に合わせるように位置合わせすることを特徴とする電動ベッドに対する使用者の臥床位置合せ方法。
【請求項２】
前記背上げ角度調整機能による動作に適合する臥床位置が、前記電動ベッドの背上げの際に人の身体のずれ量が最も小さくなるように実験に基づいて決定されたものであり、このように決定された前記臥床位置における前記人の仙骨部又は股関節の直下における前記電動ベッドの長手方向位置を前記電動ベッドの基準屈曲位置とし、前記臥床位置合せスケールの前記身長の目盛を、前記基準屈曲位置の直上に前記使用者の仙骨部又は股関節が位置するように定めてなる請求項１記載の電動ベッドに対する使用者の臥床位置合せ方法。
【請求項３】
前記電動ベッドの基準位置が、前記電動ベッドのヘッドボードの内面、又は前記電動ベッドのフットボードの内面である請求項１又は２記載の電動ベッドに対する使用者の臥床位置合せ方法。
【請求項４】
前記臥床位置合せスケールが細長くて薄いシート状のものであり、前記臥床位置合せスケールを前記身長の目盛における前記使用者の身長に対応する目盛で切断するとともに、前記臥床位置合せスケールの基準位置を前記ヘッドボードの内面又は前記フットボードの内面に合わせた状態で、前記臥床位置合せスケールの基端部を前記ヘッドボードの内面又は前記フットボードの内面に貼付し、不使用時には前記臥床位置合せスケールを垂れ下げておき、使用時には前記臥床位置合せスケールを水平に伸ばして先端を前記使用者の頭頂又は足底に合わせる請求項３記載の電動ベッドに対する使用者の臥床位置合せ方法。
【請求項５】
請求項１〜４の何れか１項に記載の電動ベッドに対する使用者の臥床位置合せ方法に用いられる、人の身長と仙骨部又は股関節との相関に基づいて決定された身長の目盛を有する臥床位置合せスケールであって、紙、不織布、又は合成樹脂フィルム製であることを特徴とする臥床位置合せスケール。
【発明の詳細な説明】
【技術分野】
【０００１】
本発明は、背上げ角度調整機能を有する電動ベッドに対して、前記電動ベッドの使用者を、前記背上げ角度調整機能による動作に適合する臥床位置に位置合わせする方法に関する。
【背景技術】
【０００２】
電動ベッドを大別すると、背上げ高さ調整機能及び膝上げ角度調整機能、並びに床高さ調整機能を有する３モータータイプと、背上げ角度調整機能（連動膝上げ機能付）、及び床高さ調整機能を有する２モータータイプがある。
このような背上げ角度調整機能を有する電動ベッド（例えば、特許文献１参照）において、背上げ角度調整機能による動作を行う際に、その動作に適合する位置に使用者が寝ていない場合、前記動作によって、使用者に、腰痛、床ずれ等の障害、又は圧迫感等の不快感が生じることがある。すなわち、電動ベッドの背上げ角度調整機能による動作に適合する臥床位置でないことが、使用者に前記障害や不快感が生じる原因となっている（例えば、非特許文献１参照）。
【０００３】
前記原因を排除するために、電動ベッドの背上げ角度調整機能による動作に適合するように使用者の臥床位置を位置合わせする方法としては、使用者の仙骨部（例えば上前腸骨棘）や股関節（例えば転子点）を電動ベッドの背ボトム屈曲点上等に合わせる方法がある（例えば、非特許文献１参照）。
また、電動ベッドの側面に貼付した目印用のシールに使用者の転子点を合わせる方法も提案されている（例えば、非特許文献２参照）。
【先行技術文献】
【特許文献】
【０００４】
【特許文献１】特許第４３６３２５９号公報
【非特許文献】
【０００５】
【非特許文献１】遠藤，奥山，村上，森，「ギャッチベッドの背上げにおける援助方法の検討−臥床位置と膝上げ方法から考える−」，日本看護研究学会雑誌，２８巻，第５号，２００５年，ｐ．４７−５４（http://www.jsnr.jp/search/vol28-2005/num5/28-5-3.html）
【非特許文献２】介護保険レンタル対応 在宅介護用ベッド「ミオレット」の取扱説明書，株式会社プラッツ，２０１１年７月，ｐ．２３（http://www.platz-ltd.sakura.ne.jp/official/torisetsu/PZB/JIS%20Miolet-manual-110722.pdf）
【発明の概要】
【発明が解決しようとする課題】
【０００６】
非特許文献１のような電動ベッドに対する使用者の臥床位置合せ方法では、使用者の仙骨部（例えば上前腸骨棘）や股関節（例えば転子点）を背ボトム屈曲点上等に合わせる実際の作業がし難い。
また、非特許文献２のような電動ベッドに対する使用者の臥床位置合せ方法では、目印用のシールがあるので使用者を位置合わせする対象は比較的分かりやすいものであるが、使用者の転子点の位置が分かりにくく、正確な位置合せができない場合がある。その上、電動ベッドの側面に貼付された目印用のシールがマットレスやシーツ等により隠れてしまうことが多いため、そのような場合には臥床位置合せ作業がし難くなる。
【０００７】
そこで本発明が前述の状況に鑑み、解決しようとするところは、電動ベッドに対する使用者の臥床位置合せ作業を容易かつ確実に行う方法を提供する点にある。
【課題を解決するための手段】
【０００８】
本発明に係る電動ベッドに対する使用者の臥床位置合せ方法は、前記課題解決のために、背上げ角度調整機能を有する電動ベッドに対して、前記電動ベッドの使用者を、前記背上げ角度調整機能による動作に適合する臥床位置に位置合わせする、前記電動ベッドに対する使用者の臥床位置合せ方法であって、人の身長と仙骨部又は股関節との相関に基づいて決定された身長の目盛を有する臥床位置合せスケールを、その基準位置を前記電動ベッドの基準位置に合わせて配置した状態で、前記使用者の頭頂又は足底を、前記身長の目盛における前記使用者の身長に対応する目盛に合わせるように位置合わせすることを特徴とする。
【０００９】
このような電動ベッドに対する使用者の臥床位置合せ方法によれば、臥床位置合せスケールの基準位置を電動ベッドの基準位置に合わせて配置した状態で、使用者の頭頂又は足底を、臥床位置合せスケールの身長の目盛における使用者の身長に対応する目盛に合わせるように位置合わせするので、位置が分かりにくい使用者の仙骨部（例えば上前腸骨棘）や股関節（例えば転子点）を探す必要がないため、正確な臥床位置合せが可能になる。
その上、マットレスやシーツ等により隠れてしまうことが多い電動ベッドの側面に貼付された目印用のシールを用いずに、電動ベッドの基準位置に合わせて配置した臥床位置合せスケールを用いるので、使用者の臥床位置合せ作業が容易になる。
【００１０】
ここで、前記背上げ角度調整機能による動作に適合する臥床位置が、前記電動ベッドの背上げの際に人の身体のずれ量が最も小さくなるように実験に基づいて決定されたものであり、このように決定された前記臥床位置における前記人の仙骨部又は股関節の直下における前記電動ベッドの長手方向位置を前記電動ベッドの基準屈曲位置とし、前記臥床位置合せスケールの前記身長の目盛を、前記基準屈曲位置の直上に前記使用者の仙骨部又は股関節が位置するように定めてなると好ましい。
このような電動ベッドに対する使用者の臥床位置合せ方法によれば、電動ベッドの基準屈曲位置が、電動ベッドの背上げの際に人の身体のずれ量が最も小さくなるように実験に基づいて決定された臥床位置における人の仙骨部又は股関節の直下とされ、臥床位置合せスケールの身長の目盛が、前記基準屈曲位置の直上に使用者の仙骨部又は股関節が位置するように定められているので、電動ベッドに対する使用者の臥床位置合せをより一層正確に行うことができる。
【００１１】
また、前記電動ベッドの基準位置が、前記電動ベッドのヘッドボードの内面、又は前記電動ベッドのフットボードの内面であると好ましい。
このような電動ベッドに対する使用者の臥床位置合せ方法によれば、臥床位置合せスケールの基準位置を合わせる電動ベッドの基準位置が分かりやすいため、臥床位置合せスケールを用いて行う使用者の臥床位置合わせ作業がさらに容易になる。
【００１２】
さらに、前記臥床位置合せスケールが細長くて薄いシート状のものであり、前記臥床位置合せスケールを前記身長の目盛における前記使用者の身長に対応する目盛で切断するとともに、前記臥床位置合せスケールの基準位置を前記ヘッドボードの内面又は前記フットボードの内面に合わせた状態で、前記臥床位置合せスケールの基端部を前記ヘッドボードの内面又は前記フットボードの内面に貼付し、不使用時には前記臥床位置合せスケールを垂れ下げておき、使用時には前記臥床位置合せスケールを水平に伸ばして先端を前記使用者の頭頂又は足底に合わせると好ましい。
【００１３】
このような電動ベッドに対する使用者の臥床位置合せ方法によれば、臥床位置合せスケールが細長くて薄いシート状のものであるので、容易に切断できる。よって、身長の目盛における使用者の身長に対応する目盛で切断しておき、切断箇所（シート状の臥床位置合せスケールの先端）を使用者の頭頂又は足底に合わせれば臥床位置合せできるため、使用者の臥床位置合せ作業が一層容易になる。
その上、臥床位置合せスケールの基端部をヘッドボードの内面又はフットボードの内面に貼付して垂れ下げているので、使用する際には、臥床位置合せスケールを水平に伸ばすことにより迅速かつ容易に使用できるとともに、使用後には、ヘッドボードの内面又はフットボードの内面に沿って垂れ下がった状態になるため、使用者や介護者の邪魔にならない。
その上さらに、臥床位置合せスケールは、その不使用時にはヘッドボードの内面又はフットボードの内面から垂れ下がった状態になるので、紛失や損傷が防止される。
【００１４】
本発明に係る臥床位置合せスケールは、前記電動ベッドに対する使用者の臥床位置合せ方法に用いられる、人の身長と仙骨部又は股関節との相関に基づいて決定された身長の目盛を有する臥床位置合せスケールであって、紙、不織布、又は合成樹脂フィルム製であることを特徴とする。
このような臥床位置合せスケールによれば、紙、不織布、又は合成樹脂フィルム製であるので、使用者や介護者の邪魔にならない。
特に、複写元の臥床位置合せスケールを紙に複写し、その複写した紙を切り抜いてなる、紙製の臥床位置合せスケールを用いるようにすれば、汚れたり破損した場合や使用者が変更になった場合には、複写元の臥床位置合せスケールを紙に再複写して切り抜くだけで、直ぐに臥床位置合せスケールとして使用できる。
【発明の効果】
【００１５】
以上のように、本発明に係る電動ベッドに対する使用者の臥床位置合せ方法、及び臥床位置合せスケールによれば、
（１）臥床位置合せスケールの基準位置を電動ベッドの基準位置に合わせて配置した状態で、使用者の頭頂又は足底を、臥床位置合せスケールの身長の目盛における使用者の身長に対応する目盛に合わせるように位置合わせするので、位置が分かりにくい使用者の仙骨部（例えば上前腸骨棘）や股関節（例えば転子点）を探す必要がないため、正確な臥床位置合せが可能になること、
（２）マットレスやシーツ等により隠れてしまうことが多い電動ベッドの側面に貼付された目印用のシールを用いずに、電動ベッドの基準位置に合わせて配置した臥床位置合せスケールを用いるので、使用者の臥床位置合せ作業が容易になること、
等の顕著な効果を奏する。
【図面の簡単な説明】
【００１６】
【図１】本発明の実施の形態に係る臥床位置合せスケールを備えた電動ベッドを示す正面図である。
【図２】前記臥床位置合せスケールの正面図であり、（ａ）は使用前における全体の形態を示しており、（ｂ）は身長の目盛における使用者の身長に対応する目盛で切断した状態を示している。
【図３】前記電動ベッドのヘッドボードまわりを内面側から見た要部拡大斜視図である。
【図４】前記臥床位置合せスケールを水平に伸ばして臥床位置合わせを行っている状態を示す要部拡大正面図である。
【図５】６５歳以上の身長と仙骨位置データの関係を示す図である。
【図６】図５の相関から前記臥床位置合せスケールの身長の目盛を決定するための「身長」と「ヘッドボード−頭頂間の長さ」との関係を示す図である。
【発明を実施するための形態】
【００１７】
次に本発明の実施の形態を添付図面に基づき詳細に説明するが、本発明は、添付図面に示された形態に限定されず特許請求の範囲に記載の要件を満たす実施形態の全てを含むものである。
また、本明細書においては、電動ベッドについては、使用者が仰向けで寝ている状態で使用者の右から見た図を正面図とし、臥床位置合せスケールについては、身長の目盛を正面から見た図を正面図とする。
【００１８】
図１の正面図に示すように、本発明の実施の形態に係る臥床位置合せスケール１を備えた電動ベッド３は、使用者Ａの頭側にヘッドボード４、使用者Ａの脚側にフットボード５が設けられ、ヘッドボード４の内面４Ａに臥床位置合せスケール１が取り付けられるとともに、背ボトム６を回動させて背上げをする背上げ角度調整機能を有している。
ここで、本発明の実施の形態に係る臥床位置合せスケール１は、紙、不織布、又は合成樹脂フィルム製の細長くて薄いシート状のものであるので、使用者Ａや介護者の邪魔にならない。
また、臥床位置合せスケール１は、図２（ａ）の正面図に示すように、後述するように人の身長と仙骨部又は股関節との相関に基づいて決定された身長の目盛２を有しており、図２（ｂ）の正面図に示すように、身長の目盛２における使用者Ａの身長に対応する目盛（図２（ｂ）の例では１６２．５ｃｍ）で切断した状態で使用される。
なお、複写元の臥床位置合せスケール（臥床位置合せスケール１が原寸で記載された取扱説明書等）を紙に複写し、その複写した紙を切り抜いてなる、紙製の臥床位置合せスケール１を用いるようにすれば、汚れたり破損した場合や使用者Ａが変更になった場合には、複写元の臥床位置合せスケールを紙に再複写して切り抜くだけで、直ぐに臥床位置合せスケール１として使用できる。
【００１９】
図２（ｂ）の正面図、図３の要部拡大斜視図、及び図４の要部拡大正面図に示すように、臥床位置合せスケール１の基準位置１Ａを電動ベッド３の基準位置であるヘッドボード４の内面４Ａに合わせて幅方向の中央に配置し、取付け高さＨをマットレスＭ上面から頭頂Ｂまでの高さとした状態で、臥床位置合せスケール１の基端部１Ｂをヘッドボード４の内面４Ａに貼付することにより、臥床位置合せスケール１は電動ベッド３に取り付けられる。
そして、不使用時には、図３に示すように臥床位置合せスケール１を垂れ下げておき、使用時には、図４に示すように臥床位置合せスケール１を水平に伸ばして先端１Ｃが使用者Ａの頭頂Ｂに合うようにすることにより、電動ベッド３の背上げ角度調整機能による動作に適合する臥床位置に使用者Ａを位置合せできる。
なお、臥床位置合せスケール１は、電動ベッド３に取り付けずに適宜箇所に仕舞っておき、必要な際に取り出しで使用するようにしてもよい。
【００２０】
次に、図２に示す臥床位置合せスケール１の身長の目盛２の作成方法の詳細について説明する。
＜背上げ角度調整機能による動作に適合する臥床位置を定める実験＞
（実験方法）
（１）電動ベッド３に寝る被験者（頭頂及び上前腸骨棘間距離：８３８ｍｍ）の位置を、ヘッドボード４の内面４Ａと被験者の上前腸骨棘との水平距離が８５０ｍｍ〜９５０ｍｍの範囲で１０ｍｍずつ電動ベッド３の長手方向に変化させる。
（２）被験者の各位置において、電動ベッド３の背ボトム６を、水平姿勢から最大角度（７０度）まで背上げしてから元の水平姿勢まで戻し、ヘッドボード４の内面４Ａと被験者の頭頂との距離の変化（ずれ量）を測定する。
（実験結果）
ヘッドボード４の内面４Ａと被験者の上前腸骨棘との水平距離が９００ｍｍである場合に前記ずれ量が最小であった。
よって、背上げ角度調整機能による動作に適合する臥床位置として、図１に示すヘッドボード４の内面４Ａからフットボード５側へ離間する水平距離Ｌ＝９００ｍｍの位置を電動ベッド３の基準屈曲位置Ｐとする。
【００２１】
＜人の身長と仙骨部との関係＞
日本人の人体寸法のデータベース（河内まき子，持丸正明，岩澤洋，三谷誠二（2000）：日本人人体寸法データベース1997-98，通商産業省工業技術院くらしとJISセンター）の６５歳以上のデータを用い、図５に示すように、横軸（Ｘ）を「身長（ｍｍ）」とし、縦軸（Ｙ）を「頭頂から上前腸骨棘までの長さ（ｍｍ）」としてプロットし、１次関数として近似し、最小二乗法により係数を求めると、次式（１）が得られた。
【００２２】
Ｙ＝０．４２８４Ｘ＋５７．５５１                    （１）
【００２３】
＜臥床位置合せスケール１の身長の目盛２の作成＞
電動ベッド３の使用者Ａの身長における頭頂から上前腸骨棘（仙骨部）までの長さ（ｍｍ）は、式（１）から図６の「頭頂−仙骨間長さ」のように求められる。
よって、電動ベッド３の基準屈曲位置Ｐは、前記のとおり、ヘッドボード４の内面４Ａからフットボード５側へ離間する水平距離Ｌ＝９００ｍｍの位置であるので、基準屈曲位置Ｐの直上に使用者Ａの上前腸骨棘（仙骨部）を位置させるための臥床位置合せスケール１の身長の目盛２は、９００（ｍｍ）から図６の「頭頂−仙骨間長さ」（ｍｍ）を引いて求められる図６の「ヘッドボード−頭頂間長さ」（ｍｍ）とし、「ヘッドボード−頭頂間長さ」に対応する「身長」を表記（図２ではｃｍで表記）すればよい。
【００２４】
以上の説明においては、臥床位置合せスケール１が人の身長と仙骨部（例えば上前腸骨棘）との相関に基づいて決定された身長の目盛を有するものである場合を示したが、臥床位置合せスケール１は人の身長と股関節（例えば転子点）との相関に基づいて決定された身長の目盛を有するものであってもよい。
また、以上の説明においては、電動ベッド３の基準位置がヘッドボード４の内面４Ａであり、臥床位置合せスケール１を用いて使用者Ａの頭頂Ｂを位置合わせする場合を示したが、電動ベッド３の基準位置をフットボード５の内面５Ａとして使用者Ａの足底Ｃ（図１参照）を位置合わせするようにしてもよい。
【００２５】
以上のような臥床位置合せスケール１を用いて行う電動ベッド３に対する使用者Ａの臥床位置合せ方法によれば、臥床位置合せスケール１の基準位置１Ａを電動ベッド３の基準位置に合わせて配置した状態で、使用者Ａの頭頂Ｂ又は足底Ｃを、臥床位置合せスケール１の身長の目盛２における使用者Ａの身長に対応する目盛に合わせるように位置合わせするので、位置が分かりにくい使用者Ａの仙骨部（例えば上前腸骨棘）や股関節（例えば転子点）を探す必要がないため、正確な臥床位置合せが可能になる。
その上、マットレスやシーツ等により隠れてしまうことが多い電動ベッドの側面に貼付された目印用のシールを用いずに、電動ベッド３の基準位置に合わせて配置した臥床位置合せスケール１を用いるので、使用者Ａの臥床位置合せ作業が容易になる。
【００２６】
また、電動ベッド３の基準屈曲位置Ｐが、電動ベッド３の背上げの際に人の身体のずれ量が最も小さくなるように実験に基づいて決定された臥床位置における人の仙骨部又は股関節の直下とされ、臥床位置合せスケール１の身長の目盛２が、基準屈曲位置Ｐの直上に使用者Ａの仙骨部又は股関節が位置するように定められているので、電動ベッド３に対する使用者Ａの臥床位置合せをより一層正確に行うことができる。
さらに、電動ベッド３の基準位置が、電動ベッド３のヘッドボード４の内面４Ａ、又は電動ベッド３のフットボード５の内面５Ａであるので、臥床位置合せスケール１の基準位置１Ａを合わせる電動ベッド３の基準位置が分かりやすいため、臥床位置合せスケール１を用いて行う使用者Ａの臥床位置合わせ作業がさらに容易になる。
【００２７】
さらにまた、臥床位置合せスケール１が細長くて薄いシート状のものであるので、容易に切断できる。よって、身長の目盛２における使用者Ａの身長に対応する目盛で切断しておき、切断箇所（シート状の臥床位置合せスケール１の先端）１Ｃを使用者Ａの頭頂Ｂ又は足底Ｃに合わせれば臥床位置合せできるため、使用者Ａの臥床位置合せ作業が一層容易になる。
また、臥床位置合せスケール１の基端部１Ｂをヘッドボード４の内面４Ａ又はフットボード５の内面５Ａに貼付して垂れ下げているので、使用する際には、臥床位置合せスケール１を水平に伸ばすことにより迅速かつ容易に使用できるとともに、使用後には、ヘッドボード４の内面４Ａ又はフットボード５の内面５Ａに沿って垂れ下がった状態になるため、使用者Ａや介護者の邪魔にならない。
さらに、臥床位置合せスケール１は、不使用時にはヘッドボード４の内面４Ａ又はフットボード５の内面５Ａから垂れ下がった状態になるので、紛失や損傷が防止される。
【符号の説明】
【００２８】
１  臥床位置合せスケール
１Ａ  基準位置
１Ｂ  基端部（取付部）
１Ｃ  切断箇所（臥床位置合せスケールの先端）
２  身長の目盛
３  電動ベッド
４  ヘッドボード
４Ａ  内面（基準位置）
５  フットボード
５Ａ  内面（基準位置）
６  背ボトム
Ａ  使用者
Ｂ  頭頂
Ｃ  足底
Ｈ  取付け高さ（マットレス上面から頭頂までの高さ）
Ｌ  ヘッドボードの内面からフットボード側へ離間する水平距離
Ｍ  マットレス
Ｐ  基準屈曲位置
【図１】
2016055083.tif 000003
【図２】
2016055083.tif 000004
【図３】
2016055083.tif 000005
【図４】
2016055083.tif 000006
【図５】
2016055083.tif 000007
【図６】
2016055083.tif 000008